(57)【要約】【課題】ユーザによる所望の使用方法に応じて種々の設定を容易に実現して、快適な環境を得ること。【解決手段】実施形態の情報処理装置は、入力制御部と、表示制御部と、設定部と、実行部と、を備える。入力制御部は、ユーザから、前記情報処理装置の使用方法の入力を受け付ける。表示制御部は、前記使用方法に基づいた拡大率で文字を表示部に表示する。設定部は、前記使用方法に基づいた設定を行う。実行部は、前記使用方法に基づいた関連ツールを実行する。【選択図】図３
2014130389.tif 000002
【特許請求の範囲】
【請求項１】
情報処理装置であって
ユーザから、前記情報処理装置の使用方法の入力を受け付ける入力制御部と、
前記使用方法に基づいた拡大率で文字を表示部に表示する表示制御部と、
前記使用方法に基づいた設定を行う設定部と、
前記使用方法に基づいた関連ツールを実行する実行部と、
を備えた情報処理装置。
【請求項２】
前記表示制御部は、前記使用方法に基づいた拡大率での表示状態を前記表示部に表示し、前記ユーザから前記表示状態で表示する指示があった場合に、前記拡大率で文字を前記表示部に表示する、
請求項１に記載の情報処理装置。
【請求項３】
前記表示制御部は、前記使用方法に基づいた関連ツールを推奨する旨を前記表示部に表示する、
請求項１または２に記載の情報処理装置。
【請求項４】
前記使用方法は、効率重視の使用方法と、通常の使用方法と、見やすさ重視の使用方法を含み、
前記入力制御部は、前記見やすさ重視の使用方法、前記通常の使用方法、前記効率重視の使用方法の中から、前記ユーザの入力を受け付け、
前記表示制御部は、入力された前記使用方法が、前記見やすさ重視の使用方法、前記通常の使用方法と、前記効率重視の使用方法の順に大きい前記拡大率で前記文字を前記表示部に表示する、
請求項１〜３のいずれかに記載の情報処理装置。
【請求項５】
前記設定部は、前記入力された前記使用方法が、前記見やすさ重視の使用方法、前記通常の使用方法、前記効率重視の使用方法の順に、表示画面におけるマウスポインタの移動速度を遅く設定する、
請求項４に記載の情報処理装置。
【請求項６】
前記実行部は、入力された前記使用方法が、前記効率重視の使用方法である場合に、表示画面を分割して表示するツールを実行すること、
を特徴とする請求項４または５に記載の情報処理装置。
【請求項７】
前記実行部は、入力された前記使用方法が、前記効率重視の使用方法である場合に、表示画面の文字を拡大して表示するツールを実行すること、
を特徴とする請求項４〜６のいずれか一つに記載の情報処理装置。
【請求項８】
前記使用方法に基づいた前記拡大率、前記設定、および前記関連ツールをカスタマイズするカスタマイズ部、
をさらに備えた請求項１〜７のいずれか一つに記載の情報処理装置。
【請求項９】
ユーザから、表示部による表示の使用方法の入力を受け付けるステップと、
前記表示の使用方法に基づいた拡大率で文字を表示部に表示するステップと、
前記表示の使用方法に基づいた設定を行うステップと、
前記表示の使用方法に基づいた関連ツールを実行するステップと、
を含む表示方法。
【請求項１０】
ユーザから、表示部による表示の使用方法の入力を受け付けるステップと、
前記表示の使用方法に基づいた拡大率で文字を表示部に表示するステップと、
前記表示の使用方法に基づいた設定を行うステップと、
前記表示の使用方法に基づいた関連ツールを実行するステップと、
をコンピュータに実行させるためのプログラム。
【発明の詳細な説明】
【技術分野】
【０００１】
本発明の実施形態は、情報処理装置、表示方法およびプログラムに関する。
【背景技術】
【０００２】
近年、ＤＰＩ２００を超える高密度、高解像度ディスプレイを有したＰＣ（Ｐｅｒｓｏｎａｌ  Ｃｏｍｐｕｔｅｒ）が登場してきており、４Ｋ２Ｋ（３８４０×２１６０ドット）パネルもＰＣでサポートされるようになってきた。このような高密度、高解像度ディスプレイでは、文字を小さく表示して情報量を優先する使用方法や文字を大きく表示して見やすさを優先する使用方法など種々の表示の使用方法があり、ユーザの選択肢が広がってくる。
【先行技術文献】
【特許文献】
【０００３】
【特許文献１】特開２００９−３７４５号公報
【発明の概要】
【発明が解決しようとする課題】
【０００４】
しかしながら、このような従来技術では、種々の表示の使用方法の中からユーザが所望の使用方法を選択する場合でも、選択した使用方法に応じた種々の設定等をＰＣ等に設定することが困難であるという問題がある。
【０００５】
本発明は、上記に鑑みてなされたものであって、ユーザによる所望の使用方法に応じて種々の設定を容易に実現して、快適な環境を得ることができる情報処理装置、表示方法およびプログラムを提供することを主な目的とする。
【課題を解決するための手段】
【０００６】
実施形態の情報処理装置は、入力制御部と、表示制御部と、設定部と、実行部と、を備える。入力制御部は、ユーザから、前記情報処理装置の使用方法の入力を受け付ける。表示制御部は、前記使用方法に基づいた拡大率で文字を表示部に表示する。設定部は、前記使用方法に基づいた設定を行う。実行部は、前記使用方法に基づいた関連ツールを実行する。
【図面の簡単な説明】
【０００７】
【図１】図１は、本実施形態にかかるコンピュータの外観を示す図である。
【図２】図２は、本実施形態にかかるコンピュータの構成を概略的に示すブロック図である。
【図３】図３は、本実施形態にかかるコンピュータの機能構成の一部を示すブロック図である。
【図４】図４は、本実施形態の使用方法毎の設定データの一例を示す図である。
【図５】図５は、本実施形態におけるマウスポインタの移動速度の変更について説明するための図である。
【図６】図６は、本実施形態の表示処理の手順を示すフローチャートである。
【図７】図７は、本実施形態の使用方法選択画面の一例を示す図である。
【図８】図８は、本実施形態の確認画面の一例を示す図である。
【図９】図９は、本実施形態の画面分割ツールの推奨画面の一例を示す図である。
【図１０】図１０は、本実施形態の拡大ツールの推奨画面の一例を示す図である。
【図１１】図１１は、本実施形態の効率重視の場合の画面表示の例を示す図である。
【図１２】図１２は、本実施形態の効率重視の場合の画面表示の例を示す図である。
【図１３】図１３は、本実施形態のカスタマイズ画面の一例を示す図である。
【発明を実施するための形態】
【０００８】
本実施形態では、情報処理装置、方法およびプログラムを、ノートブックタイプのパーソナルコンピュータ（以下、コンピュータとする）１０に適用した例について説明するが、これに限定するものではなく、例えば、リモートコントローラ、テレビジョン受像機、ハードディスクレコーダ等にも適用することができる。
【０００９】
図１に示すように、本実施形態にかかるコンピュータ１０は、本体１１と、ディスプレイユニット１２と、を有している。ディスプレイユニット１２には、ＬＣＤ（Liquid  Crystal  Display）１７を備える表示装置が搭載されている。ディスプレイユニット１２には、さらに、ＬＣＤ１７の表面を覆うようにタッチパネル１４が搭載されている。ディスプレイユニット１２は、本体１１の上面が露出される開放位置と本体１１の上面を覆う閉塞位置との間を回動自在に本体１１に取り付けられている。ディスプレイユニット１２は、ＬＣＤ１７の上部にカメラモジュール２０を備える。カメラモジュール２０は、ディスプレイユニット１２が本体１１の上面を露出する開放位置にあるときに、コンピュータ１０の操作者等を撮像するために用いられる。
【００１０】
本体１１は、薄い箱形の筐体を有し、その上面に、キーボード１３、入力操作パネル１５、タッチパッド１６、スピーカ１８Ａ，１８Ｂ、コンピュータ１０を電源オンまたは電源オフにするためのパワーボタン１９などが配置されている。入力操作パネル１５上には、各種操作ボタンが設けられている。
【００１１】
また、本体１１の背面には、例えばＨＤＭＩ（High−Definition  Multimedia  Interface）規格に対応した外部ディスプレイ接続端子（図示しない）が設けられている。この外部ディスプレイ接続端子は、デジタル映像信号を外部ディスプレイに出力するために用いられる。
【００１２】
本実施形態にかかるコンピュータ１０は、図２に示すように、ＣＰＵ（Central  Processing  Unit）１１１、主メモリ１１２、ノースブリッジ１１３、グラフィックコントローラ１１４、ディスプレイユニット１２、サウスブリッジ１１６、ＨＤＤ（Hard  Disk  Drive）１１７、副プロセッサ１１８、ＢＩＯＳ（Basic  Input/Output  System）−ＲＯＭ（Read  Only  Memory）１１９、エンベデッドコントローラ／キーボードコントローラ（ＥＣ／ＫＢＣ）１２０、電源回路１２１、バッテリ１２２、ＡＣアダプタ１２３、タッチパッド１６、キーボード（ＫＢ）１３、カメラモジュール２０、およびパワーボタン１９等を備える。
【００１３】
ＣＰＵ１１１は、コンピュータ１０の動作を制御するプロセッサである。ＣＰＵ１１１は、ＨＤＤ１１７から主メモリ１１２にロードされる、オペレーティングシステム（ＯＳ）および各種のアプリケーションプログラムを実行する。また、ＣＰＵ１１１は、ＢＩＯＳ−ＲＯＭ１１９に格納されたＢＩＯＳも実行する。ＢＩＯＳは、周辺デバイスを制御するためのプログラムである。ＢＩＯＳは、コンピュータ１０の電源投入時に最初に実行される。
【００１４】
ノースブリッジ１１３は、ＣＰＵ１１１のローカルバスとサウスブリッジ１１６との間を接続するブリッジデバイスである。ノースブリッジ１１３は、ＡＧＰ（Accelerated  Graphics  Port）バスなどを介してグラフィックコントローラ１１４との通信を実行する機能を有している。
【００１５】
グラフィックコントローラ１１４は、コンピュータ１０のディスプレイユニット１２を制御する表示コントローラである。グラフィックコントローラ１１４は、ＯＳまたはアプリケーションプログラムによってＶＲＡＭ（Video  Random  Access  Memory）（図示しない）に書き込まれた表示データから、ディスプレイユニット１２に出力すべき表示信号を生成する。
【００１６】
サウスブリッジ１１６には、ＨＤＤ１１７、副プロセッサ１１８、ＢＩＯＳ−ＲＯＭ１１９、カメラモジュール２０、およびＥＣ／ＫＢＣ１２０が接続されている。また、サウスブリッジ１１６は、ＨＤＤ１１７および副プロセッサ１１８を制御するためのＩＤＥ（Integrated  Drive  Electronics）コントローラも備えている。
【００１７】
ＥＣ／ＫＢＣ１２０は、電力管理のためのエンベデッドコントローラ（ＥＣ）と、タッチパッド１６およびキーボード（ＫＢ）１３を制御するためのキーボードコントローラ（ＫＢＣ）が集積された、１チップマイクロコンピュータである。ＥＣ／ＫＢＣ１２０は、例えば、パワーボタン１９が操作された際に、電源回路１２１と共同してコンピュータ１０の電源をオンにする。コンピュータ１０は、ＡＣアダプタ１２３を介して外部電源が供給される場合、外部電源により駆動される。外部電源が供給されない場合、コンピュータ１０は、バッテリ１２２によって駆動される。
【００１８】
カメラモジュール２０は、例えば、Ｗｅｂカメラ等のようなＵＳＢ（Universal  Serial  Bus）カメラである。カメラモジュール２０のＵＳＢコネクタは、コンピュータ１０の本体１１に設けられたＵＳＢポート（図示しない）に接続される。
【００１９】
副プロセッサ１１８は、カメラモジュール２０から取得した動画像データの処理等を行う。
【００２０】
本実施形態にかかるコンピュータ１０は、機能的構成としては、図３に示すように、入力制御部３０１と、表示制御部３０２と、設定部３０３と、実行部３０４と、カスタマイズ部３０５と、上述のＨＤＤ１１７とを備えている。
【００２１】
一般的にオペレーティングシステムでは、文字サイズについて９６ＤＰＩ（Ｄｏｔ  Ｐｅｒ  Ｉｎｃｈ）を基本サイズとして扱われている。このサイズは、９６ＤＰＩのドット密度を持つディスプレイ上で表示を行うと、９６ｄｏｔが１ｉｎｃｈに相当する事を意味し、９．６  ｄｏｔ幅のテキストを表示すると、０．１ｉｎｃｈとして表現される。
【００２２】
ここで、例えば単純に２倍の密度である１９２ＤＰＩのディスプレイで表示を行うと、９６ｄｏｔが０．５ｉｎｃｈに相当することになり、９．６ｄｏｔ幅の文字は、０．０５ｉｎｃｈとして表現されるため、画面上の文字が相対的に小さくなってしまい、ユーザにとって見づらい状態になってしまう。
【００２３】
このため、オペレーティングシステムでは、文字サイズの基本サイズを拡大する事で、見やすい状態に設定することが可能となっている。この場合は、オペレーティングシステム内の内部表現として、２倍である１９２ＤＰＩを基本サイズとして設定すれば、９．６ｄｏｔ幅のテキストは、０．１ｉｎｃｈとして表現することが可能である。本実施の形態では、文字の拡大率は、この文字サイズの基本サイズに対する拡大率を意味する。文字の拡大率は通常、オペレーティングシステム上では９６ＤＰＩを１００％として、１５０％（１４４ＤＰＩ）、２００％（１９６ＤＰＩ）として表現される。
【００２４】
ここで、文字の拡大率を変化させた場合、サイズを大きくするに従って、文字自体の視認性は向上するが、表示画面上に１度に表示される情報量は低下していく。一方、文字サイズを小さくするに従って情報量は向上するが、視認性は低下する。このことは、すなわち、従来、低密度なディスプレイでは表現できなかった、一つの表示画面上で複数の使用環境を用意できることを意味する。
【００２５】
例えば、「見た目としては従来と同じ文字サイズを表示するが、１文字に対する情報量が向上する為、文字を見やすく読む」ことも可能であるし、「見た目としては従来よりも文字サイズを小さく表示するが、小さくしても文字が潰れないため判読することができ、一度に表示する情報量を増やす」ことも可能である。密度が向上することにより、使用用途も従来よりも増加する。
【００２６】
しかしながら、文字サイズを変更するだけでは、操作性が悪化する場合がある。また、文字の拡大率は、ユーザが使用方法に合わせて変更しているので、ユーザにとっては、文字の拡大率を変更した後、他の画面設定やソフトウェア等の関連ツールの設定を行いたい場合があるが、従来技術では、このような設定やツール等の設定を容易に行うことが困難であった。
【００２７】
このため、本実施形態では、ユーザにコンピュータの使用方法を入力させ、入力された使用方法に応じた文字の拡大率で表示するとともに、入力された使用方法に基づく拡大率に応じた設定や関連ツールの起動や設定を行い、ユーザによる所望の使用方法に応じて種々の設定を容易に実現でき、快適な環境を得ている。以下、このための構成について詳細に説明する。
【００２８】
図３において、入力制御部３０１は、ユーザから、コンピュータの使用方法の入力を受け付ける。具体的には、入力制御部３０１は、効率重視の使用方法と、通常の使用方法と、見やすさ重視の使用方法の中から所望の選択を行わせる使用方法選択画面を介して、ユーザの選択を受け付ける。
【００２９】
表示制御部３０２は、入力制御部３０１により入力を受け付けた使用方法に基づいた拡大率で文字をディスプレイユニット１２に表示する。具体的には、表示制御部３０２は、選択された使用方法に対応した後述する設定データをＨＤＤ１１７から読み出して、当該使用方法の設定データで登録されている拡大率を決定し、決定された拡大率で文字をディスプレイユニット１２に表示する。なお、決定された拡大率での文字の表示は、一例として、ＯＳが提供するＡＰＩ（アプリケーションプログラミングインタフェイス）のシステムコールの発行等で実現するが、これに限定されるものではない。
【００３０】
ここで、通常の使用方法は、作業効率と見やすさのバランスをとった設定であり、表示制御部３０２は、標準的な文字の拡大率で表示する。また、見やすさ重視の使用方法は、Ｗｅｂや電子書籍などの閲覧に適しており、表示制御部３０２は、標準よりも大きな拡大率を用いる。効率重視の使用方法は、同時に複数のアプリケーションで作業を行う場合に適しており、表示制御部３０２は、標準よりも小さな拡大率で表示する。
【００３１】
設定部３０３は、入力された使用方法の設定データを読み出して、設定データの内容により使用方法に基づいて、マウスポインタの移動速度の設定を行う。また、設定部３０３は、ウィンドウのタイトルバーやボタンサイズ等のウィンドウの表示設定等も拡大率に応じて変更する。なお、これら以外の設定を変更するように設定部３０３を構成してもよい。なお、マウスポインタの移動速度の設定や各種設定は、ＯＳが提供するＡＰＩのシステムコールの発行等で実現するが、これに限定されるものではない。
【００３２】
実行部３０４は、ＨＤＤ１１７から、入力された使用方法の設定データを読み出して、設定データの内容により使用方法に基づく関連ツールを実行する。
【００３３】
ＨＤＤ１１７には、使用方法ごとの設定データ、すなわち効率重視の設定データ、通常の設定データ、見やすさ重視の設定データが保存されている。各設定データには、それぞれの使用方法に応じた文字拡大率、マウスポインタの移動速度、関連ツールが登録されている。
【００３４】
図４に示す使用方法毎の設定データの例において、図４（ａ）が効率重視の設定データ、図４（ｂ）が通常の設定データ、図４（ｃ）が見やすさ重視の設定データである。図４に示すように、設定データには、見やすさ重視、通常、効率重視の順に大きい拡大率が設定されている。このため、表示制御部３０２は、入力された使用方法が、見やすさ重視の使用方法の場合、一番大きい拡大率、通常の使用方法の場合は２番目のサイズの拡大率、効率重視の使用方法は３番目のサイズの拡大率で文字をディスプレイユニット１２に表示することになる。
【００３５】
使用方法に応じて文字の拡大率を変更した場合、拡大率が１００％の時に論理ドットと物理ドットが等しかったのに対して、例えば、拡大率は２００％の時には、論理ドットは物理ドットの２倍になる。このような論理ドットと物理ドットの関係は、文字サイズだけでなく、例えば、マウスポインタの移動速度も影響する。
【００３６】
例えば、文字の拡大率が１００％の時に  マウスポインタの表示画面上での移動距離１ｍｉｃｋｙ（１／１００ｉｎｃｈ）に対して１論理ドットに設定していた場合、実際の動作として、マウスポインタを表示画面上で１ｍｉｃｋｙ動かすと１物理ドット移動する。この状態で、文字の拡大率が２００％に設定された場合、マウスポインタの移動速度は、１ｍｉｃｋｙに対して１論理ドットという設定は変化しないが、１論理ドットが２物理ドットに変化しているため、図５に示すように、マウスポインタを１ｍｉｃｋｙ移動した場合、２物理ドット移動することになる。
【００３７】
従って、このような場合、文字の拡大率１００％のときのマウスポインタの移動速度に対して拡大率２００％のマウスポインタの移動速度が２倍になるため、ユーザにとって同一の表示画面サイズに対する操作感覚として、マウスポインタの移動速度が速すぎると感じる場合がある。
【００３８】
このような文字の拡大率の変化に伴うマウスの操作感覚の変化は、特に画像編集ソフトウェアなどの操作感に影響を与える恐れがある。画像編集ソフトウェアなどで扱うドット数は、通常、高解像度、高密度を活かすため、物理ドットで内部データを扱う。このようなソフトウェアに対して、マウスポインタの移動速度が変化してしまうと、文字の拡大率を変更したために、同じ感覚で画像の編集をしたり絵を書いたりすることが困難になる。事ができなくなる。
【００３９】
このため、本実施形態では、文字の拡大率を変更して表示を行う場合には、設定部３０３によってマウスポインタの移動速度も変更している。
【００４０】
すなわち、図４に示すように、設定データには、見やすさ重視、通常、効率重視の順、すなわち拡大率が大きい順に、マウスポインタの移動速度が遅くなるように設定されている。このため、表示制御部３０２は、入力された使用方法が、見やすさ重視の使用方法、通常の使用方法、効率重視の使用方法の順（拡大率の大きい順）に、マウスポインタの移動速度を遅く設定する。図４の例の設定データでは、図５を用いて上述した例に合わせて、設定部３０３は、文字の拡大率が２００％の場合には、マウスポインタの移動速度を０．５論理ドット／１ｍｉｃｋｙに設定している。また、図４の例の設定データでは、文字の拡大率が１００％の場合には、マウスポインタの移動速度を１論理ドット／１ｍｉｃｋｙ、文字の拡大率が５０％の場合には、マウスポインタの移動速度を２論理ドット／１ｍｉｃｋｙに設定している。
【００４１】
また、使用方法により文字の拡大率が小さい場合、表示画面上に表現される情報量が多くなるので、複数のウィンドウを表示画面上に配置したとしても、それぞれの情報を十分にユーザが読み取る事が可能である。このため、文字の拡大率が小さい場合、画面分割ソフトウェアで、細かく画面を分割すれば、ユーザは広い画面を有効活用し、複数のアプリケーションを一度に扱うことができる。
【００４２】
一方、文字の拡大率が大きい場合、表示画面上に表現される情報量が小さくなるので、複数のウィンドウを画面上にオープンしても、それぞれの情報をユーザーが情報を読み取るが困難になる。このため、必然的にユーザは単一、もしくは少ない数のウィンドウをオープンして作業を行う。このように文字の拡大率が大きい場合、画面分割ツールで分割することは有益ではない。本実施の形態では、拡大率に応じて画面分割ツールの使用の有無を考える。
【００４３】
ここで、従来は、文字の拡大率を変えた場合、関連するソフトウェア機能をユーザ自身で手動で変更する必要があり煩雑であった。本実施形態では、拡大率によって影響を受け、ユーザの操作感覚や、使用環境に影響を与える設定、関連ツールについても、拡大率の変更に合わせて追従して設定し、ユーザはそれぞれの文字の拡大率に合わせた快適な使用環境を得ることが可能となっている。
【００４４】
具体的には、図４に示すように、設定データには、関連ツールが設定されている。図４の例では、実行部３０４は、入力された使用方法が、効率重視の使用方法である場合に、表示画面を分割して表示するツールを実行する。また、実行部３０４は、入力された使用方法が、効率重視の使用方法である場合に、表示画面の文字を拡大して表示するツールを実行する。
【００４５】
カスタマイズ部３０５は、ユーザからの指示により、使用方法に基づいた拡大率、設定、および関連ツールを各使用方法に対応する設定データを変更することによりカスタマイズする。
【００４６】
次に、以上のように構成された本実施形態のコンピュータ１０による表示処理について図６を用いて説明する。以下に示す処理は、Ｗｉｎｄｏｗｓ（登録商標）等のデスクトップ画面から表示処理アプリケーションを起動することにより実行されるが、実行タイミングはこれに限定されるものではない。
【００４７】
まず、表示制御部３０２は、ディスプレイユニット１２に使用方法選択画面を表示し（ステップＳ１１）、使用方法選択画面からユーザの使用方法の入力受付け待ちの状態となる（ステップＳ１２）。
【００４８】
使用方法選択画面は、図７に示すように、使用方法に応じて、文字の拡大率による文字サイズの例や、アプリケーションの表示使用の例が示されている。ユーザがこの画面で所望の使用方法のボックスを選択すると、入力制御部３０１により、かかる使用方法の入力を受け付ける。
【００４９】
図６に戻り、使用方法の入力を受け付ると（ステップＳ１２）、表示制御部３０２は、入力された使用法に対応する設定データをＨＤＤ１１７から読み出す（ステップＳ１３）。そして、表示制御部３０２は、読み出した設定データの内容に従って、使用方法に基づく拡大率や設定の確認画面をディスプレイユニット１２に表示する（ステップＳ１４）。
【００５０】
確認画面は、図８に示すように、ユーザに入力された使用方法（図８の例では、「見やすさ重視」）の他、ステップＳ１３で読み出した設定データに登録されている内容である、拡大率やマウスポインタの移動速度が表示される。そして、使用方法の推奨される用途、拡大率に応じたサイズの文字のサンプルも表示される。ユーザはこの確認画面により、この使用方法で表示する場合にはＯＫボタンを押下して承認し、この使用方法で表示しない場合にはキャンセルボタンを押下する。
【００５１】
図６に戻り、ユーザがＯＫボタンを押下して、入力制御部３０１が入力された使用方法での表示の承認を受け付けたら（ステップＳ１５：Ｙｅｓ）、表示制御部３０２は、設定データに従って、文字の拡大率を変更する（ステップＳ１６）。
【００５２】
次に、設定部３０３は、マウスポインタの移動速度を設定データに従って変更する（ステップＳ１７）。さらに設定部３０３は、ウィンドウのタイトルバーやボタンサイズ等のウィンドウの表示設定等も変更する。
【００５３】
次に、表示制御部３０２は、入力された使用方法の設定データに登録されている関連ツールの推奨画面をディスプレイユニット１２に表示する（ステップＳ１８）。使用方法が効率重視の場合には、関連ツールとして、効率重視の設定データに登録されている画面分割ツールの推奨画面が、図９に示すように表示される。また、使用方法が効率重視の場合には、さらに、関連ツールとして、効率重視の設定データに登録されている拡大ツールの推奨画面が図１０に示すように表示される。
【００５４】
なお、図９の例の推奨画面では、画面の分割数の選択可能となっている。図１０の例では、拡大のためのキー操作も表示されている。
【００５５】
これらの推奨画面で推奨された関連ツールを使用する場合には、ユーザは推奨画面のＯＫボタンを押下することにより承認し、関連ツールを使用しない場合にはキャンセルボタンを押下する。
【００５６】
図６に戻り、入力制御部３０１が関連ツールの承認を受け付けたら（ステップＳ１９：Ｙｅｓ）、実行部３０４は関連ツールを起動する（ステップＳ２０）。また、表示制御部３０２は、使用方法に応じて変更された拡大率の文字サイズで画面をディスプレイユニット１２に表示する。
【００５７】
ここで、使用方法が効率重視の場合の画面表示例を図１１に示し、使用方法が見やすさ重視のときの画面表示例を図１２に示す。図１１に示すように効率重視の場合の画面表示は、図１２に示す見やすさ重視の画面表示より情報量が多くなっている。図１２の画面では、図１１に示す効率重視の画面表示に比べて情報量は少ないが、文字サイズも大きく、ウィンドウ数も少なく見やすくなっている。
【００５８】
ユーザがＨＤＤ１１７の設定データを変更して設定内容をカスタマイズする場合には、図１３に示すカスタマイズ画面から、拡大率やマウスポインタの移動速度、関連ツールを設定することにより、かかる設定を入力制御部３０１が受付ける。そして、カスタマイズ部３０５が、受付けた設定内容でＨＤＤ１１７の各設定データを更新する。
【００５９】
このように本実施形態では、ユーザが使用方法を入力すると使用方法に応じた文字の拡大率が決定され、かつ確認画面で拡大率による文字サイズを確認することができるので、文字の拡大率を意識する必要なく、所望の使用方法に応じた設定を容易に実現することができる。
【００６０】
また、本実施形態では、使用方法に応じて拡大率が決定したら、使用方法や拡大率に応じた他の設定や関連ツールの設定も行っているので、種々の設定や関連ツールの起動および設定を手動で行う必要がなくなり、ユーザは使用方法に応じた拡大率に変更に伴う種々の設定や関連ツール等の起動、設定を容易に実現することができ、快適な環境を得ることができる。特に、本実施形態で、文字の拡大率に応じてマウスポインタの移動速度も決定されるので、ユーザがマウスポインタの設定操作を手動で行う必要が無く、より簡易になる。
【００６１】
すなわち、本実施形態によれば、ユーザがコンピュータの使用方法を入力して、簡単な手順を行うだけで、各使用方法の環境に適した快適な使用環境をユーザに提供することが可能となる。
【００６２】
本実施形態のコンピュータ１０で実行される表示処理プログラムは、インストール可能な形式又は実行可能な形式のファイルでＨＤＤ１１７、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００６３】
また、本実施形態のコンピュータ１０で実行される表示処理プログラムを、インターネット等のネットワークに接続されたコンピュータ上に格納し、ネットワーク経由でダウンロードさせることにより提供するように構成しても良い。また、本実施形態のコンピュータ１０で実行される表示処理プログラムをインターネット等のネットワーク経由で提供または配布するように構成しても良い。
【００６４】
また、本実施形態のコンピュータ１０で実行される表示処理プログラムを、ＲＯＭ等に予め組み込んで提供するように構成してもよい。
【００６５】
本実施形態のコンピュータ１０で実行される表示処理プログラムは、上述した各部（入力制御部３０１、表示制御部３０２、設定部３０３、実行部３０４、カスタマイズ部３０５）を含むモジュール構成となっており、実際のハードウェアとしてはＣＰＵ１１１がＨＤＤ１１７等の上記記憶媒体から表示処理プログラムを読み出して実行することにより上記各部が主メモリ１１２上にロードされ、入力制御部３０１、表示制御部３０２、設定部３０３、実行部３０４、カスタマイズ部３０５が主メモリ１１２上に生成されるようになっている。
【００６６】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【００６７】
このような変形例として例えば、以下の例が挙げられる。本実施形態では、使用方法の入力、拡大率の確認、設定、関連ツールの起動、設定を、ユーザとの対話型インタフェイスで行っていたが、これに限定されるものではない。例えば、対話型インタフェイスを用いず、拡大率の確認画面の表示や関連ツールの推奨画面の表示を行わずに、単一のウィンドウからの設定入力だけで、各種設定や関連ツール等の起動、設定を実現するように構成してもよい。
【００６８】
また、本実施形態では、拡大率の変更に伴い、マウスポインタの移動速度やユーザインタフェイスの設定を行っているが、これに限定されるものではない。例えば、使用方法を入力していることから、画面に関連する項目として、タッチパネルに適したウィンドウサイズ、フォントのスムージング、画面解像度、画面の表示状態(マルチモニタやシングルモニタ)、画面の色等の設定を変更するように設定部３０４を構成することができる。
【符号の説明】
【００６９】
３０１  入力制御部
３０２  表示制御部
３０３  設定部
３０４  実行部
３０５  カスタマイズ部
【図１】
2014130389.tif 000003
【図２】
2014130389.tif 000004
【図３】
2014130389.tif 000005
【図４】
2014130389.tif 000006
【図５】
2014130389.tif 000007
【図６】
2014130389.tif 000008
【図７】
2014130389.tif 000009
【図８】
2014130389.tif 000010
【図９】
2014130389.tif 000011
【図１０】
2014130389.tif 000012
【図１１】
2014130389.tif 000013
【図１２】
2014130389.tif 000014
【図１３】
2014130389.tif 000015